(57)【特許請求の範囲】
【請求項１】
基板を保持する基板テーブルであって、該基板テーブルの上面の端部から流出する液体流れが許容されている基板テーブルと、
前記端部からの液体を回収する溝と、を備え、
前記溝には浸透性部材が設けられており、
前記浸透性部材は、前記溝の外部から前記溝の下方部位へと導く複数の流路をなす構造を備えることを特徴とする液浸リソグラフィ投影装置。
【請求項２】
前記浸透性部材により覆われている前記溝への開口を備えることを特徴とする請求項１に記載の液浸リソグラフィ投影装置。
【請求項３】
前記浸透性部材は液相にのみ浸透性を有することを特徴とする請求項１または２に記載の液浸リソグラフィ投影装置。
【請求項４】
前記浸透性部材は外側表面が親液体性であることを特徴とする請求項１から３のいずれかに記載の液浸リソグラフィ投影装置。
【請求項５】
前記浸透性部材は内側表面が疎液体性であることを特徴とする請求項１から４のいずれかに記載の液浸リソグラフィ投影装置。
【請求項６】
前記浸透性部材は浸透性の布であることを特徴とする請求項１から５のいずれかに記載の液浸リソグラフィ投影装置。
【請求項７】
前記浸透性部材は浸透性のプレートであることを特徴とする請求項１から６のいずれかに記載の液浸リソグラフィ投影装置。
【請求項８】
前記溝には、前記浸透性部材を通じて前記溝へと液体を引き込むための負圧が与えられることを特徴とする請求項１から７のいずれかに記載の液浸リソグラフィ投影装置。
【請求項９】
前記溝は前記浸透性部材の下方が液体で満たされることを特徴とする請求項１から８のいずれかに記載の液浸リソグラフィ投影装置。
【請求項１０】
前記流路の形状は円形であることを特徴とする請求項１から９のいずれかに記載の液浸リソグラフィ投影装置。
【請求項１１】
前記構造はプラスチックで形成されていることを特徴とする請求項１から１０のいずれかに記載の液浸リソグラフィ投影装置。
【請求項１２】
前記流路の各々に一方向弁が設けられていることを特徴とする請求項１から１１のいずれかのいずれかに記載の液浸リソグラフィ投影装置。
【発明の詳細な説明】
【技術分野】
【０００１】
本発明は、リソグラフィ装置及びデバイス製造方法に関する。
【背景技術】
【０００２】
リソグラフィ装置は、所望のパターンを基板、通常は基板の目標部分に転写する機械である。リソグラフィ装置は例えば集積回路（ＩＣ）の製造に用いられる。この場合、例えばマスクまたはレチクルと称されるパターニングデバイスが、集積回路の各層に対応した回路パターンを形成するために使用され得る。このパターンが基板（例えばシリコンウエーハ）の（例えばダイの一部、あるいは１つまたは複数のダイからなる）目標部分に転写されることになる。パターンの転写は典型的には、基板に塗布された放射感応性材料（レジスト）層への像形成により行われる。一般に一枚の基板にはネットワーク状に隣接する一群の目標部分が含まれ、これらは連続的にパターン形成される。公知のリソグラフィ装置にはいわゆるステッパとスキャナとがある。ステッパにおいては、目標部分にパターン全体が一度に露光されるようにして各目標部分は照射を受ける。スキャナにおいては、所与の方向（スキャン方向）に放射ビームによりパターンを走査するとともに基板をスキャン方向に平行または逆平行に走査するようにして各目標部分は照射を受ける。また、パターンを基板にインプリントすることにより、パターニングデバイスから基板にパターンを転写することも可能である。
【０００３】
リソグラフィ装置内の基板を比較的屈折率の高い例えば水などの液体に浸け、投影光学系の末端の要素と基板との間を当該液体で満たすようにすることが提案されている。この液体は蒸留水であってもよいし、その他の液体であってもよい。本発明の一実施形態は液体を例として説明されるが、濡れ性流体や非圧縮性流体、あるいは空気より高屈折率の流体（望ましくは水より高屈折率の流体）などの他の流体が適当である場合もありうる。この提案のポイントは、当該液体中で露光光の波長がより短くなって、より小さいパターンを結像させることができるということである（この液体の効果は光学系のＮＡを実効的に増大させるものとも、あるいは焦点深度を増大させるものともみなすこともできる）。他の液浸液も提案されており、例えば固体粒子（例えば石英）を浮遊状態で含む液体や、浮遊ナノ粒子（例えば最大寸法１０ｎｍ以内の粒子）を有する液体などがある。浮遊粒子は周囲の液体と同一または類似の屈折率を有していてもよいし、有していなくてもよい。その他に適当となりうる液体には炭化水素やフッ化炭化水素、水溶液もある。これらも本発明の一実施形態に含まれる。
【０００４】
しかし、基板のみあるいは基板及び基板テーブルの双方を液体槽に浸ける場合には（例えば米国特許第４５０９８５２号明細書を参照、本願明細書に援用する）、スキャン露光中に大量の液体が加速されなければならないことになる。そのためにはモータを追加したり、あるいはより強力なモータに取り替えたりすることが必要になる。また、液体に生じる乱流が不都合あるいは不測の影響をもたらすおそれがある。
【０００５】
提案されている１つの解決法は、液体を封じ込めるシステムを使用して投影光学系の末端の要素と基板との間において基板の局所的領域にしか液体を供給しない液体供給システムを用いることである（一般に投影系の末端要素よりも基板のほうが大面積である）。このような構成の一例が例えば国際公開第９９／４９５０４号（本願明細書に援用する）に開示されている。図２及び図３に示されるように、液体が基板に少なくとも１つの供給口ＩＮによって好ましくは末端要素に対する基板の移動方向に沿って供給され、投影光学系の下を通過した後は少なくとも１つの排出口ＯＵＴによって取り除かれる。つまり基板が末端要素の下方で−Ｘ方向に走査される場合には、液体は末端要素の＋Ｘ側から供給されて−Ｘ側で回収される。図２には、供給口ＩＮから液体が供給され、排出口ＯＵＴにより末端要素の他方の側で液体が回収されるという構成が模式的に示されている。排出口ＯＵＴは低圧源に接続されている。図２においては末端要素に対する基板移動方向に沿って液体が供給されているが、これは必須ではない。さまざまな向き及び数の供給口及び排出口を末端要素の周囲に配置することが可能である。一例としては図３に示されるように、隣接する供給口及び排出口が末端要素の周囲に規則的に４組配置されていてもよい。
【０００６】
局所的に液体を供給するシステムを有する液浸露光法の一例が図４に示されている。投影光学系ＰＬの側部に設けられている２つの溝状のインレットＩＮから液体が供給され、インレットＩＮから放射方向外側に分散して配置されている複数のアウトレットＯＵＴによって取り除かれる。インレットＩＮ及びアウトレットＯＵＴは中心部に開口を有するプレートに形成されており、この開口を通じて投影ビームが投影される。液体は、投影光学系ＰＬの一方の側部の１つの溝状のインレットＩＮから供給され、投影光学系ＰＬの他方の側部に分散配置される複数のアウトレットＯＵＴによって除去される。これにより、投影光学系ＰＬと基板Ｗとの間に薄層状の液体の流れが形成される。どのインレットＩＮとアウトレットＯＵＴとを組み合わせて使用すべきかということは基板移動方向に依存する（インレットＩＮとアウトレットＯＵＴとの組み合わせによっては有効に機能しない）。
【０００７】
欧州特許出願公開第１４２０３００号明細書及び米国特許出願公開第２００４／０１３６４９４号明細書の全体をここに引用する。これらの文献にはツインステージまたはデュアルステージの液浸リソグラフィ装置が開示されている。これらの装置には基板を支持するための２つのテーブルが設けられている。第１位置にあるテーブルで液浸液が無い状態でレベリング測定が実行され、第２位置にあるテーブルで液浸液が存在する状態で露光が実行される。これに代えて、リソグラフィ装置は、露光位置と測定位置とを移動する１つのテーブルしか有していなくてもよい。
【０００８】
国際公開第２００５／０６４４０５号は完全湿式の方式を開示している。このシステムでは、基板上面全体が液体に覆われる。液体供給システムは、基板と投影系の末端素子との間に液体を供給する。この液体は基板の他の部位へと漏れ出す。基板テーブル端部の障壁が液体の漏れを防いでおり、基板テーブル上面からの液体の除去の制御も可能である。
【発明の概要】
【発明が解決しようとする課題】
【０００９】
例えば、基板テーブル上面から液体を除去するシステムを有する装置を提供することが望ましい。
【課題を解決するための手段】
【００１０】
本発明の一態様によれば、基板を保持し、基板から流れて基板テーブル上面の端部を越える液体流れが許容されている基板テーブルと、液体をとらえるよう基板テーブル端部下方に位置決め可能である溝と、を備え、基板テーブル及び溝は、基板テーブル端部の上面からの最遠部位が溝の一部分と小間隙により隔てられて位置決めされる液浸リソグラフィ投影装置が提供される。
【００１１】
本発明の一態様によれば、基板を保持し、基板から流れて基板テーブル上面の端部を越える液体流れが許容されている基板テーブルと、液体をとらえるよう基板テーブル端部下方に位置決め可能である溝と、を備え、溝への開口が液体浸透性部材により覆われている液浸リソグラフィ投影装置が提供される。
【００１２】
本発明の一態様によれば、基板を保持し、基板から流れて基板テーブル上面の端部を越える液体流れが許容されている基板テーブルと、液体をとらえるよう基板テーブル端部下方に位置決め可能である溝と、を備え、溝は、溝外部から溝内部へ導く複数の垂直流路を備える液浸リソグラフィ投影装置が提供される。
【００１３】
本発明の一態様によれば、基板を保持し、基板から流れて基板テーブル上面の端部を越える液体流れが許容されている基板テーブルと、液体をとらえるよう基板テーブル端部下方に位置決め可能である溝と、を備え、溝は、溝の移動に伴い液体の慣性により生じる液体と溝との溝内での相対移動を低減するバリア部材を溝底部に有する液浸リソグラフィ投影装置が提供される。
【００１４】
本発明の一態様によれば、基板を保持し、基板から基板テーブル上面の端部を越えて液体が流れるのを許容する基板テーブルと、液体をとらえるよう基板テーブル端部下方に位置決め可能である溝と、を備え、溝に進入する液体を溝内で保持するシールド部材と、を備える液浸リソグラフィ投影装置が提供される。
【００１５】
本発明の一態様によれば、基板を保持し、平面視において実質的に直進運動をし、基板から基板テーブルの４つの端部を越える液体流れが許容されている基板テーブルと、液体をとらえるよう基板テーブル端部下方に位置決め可能である溝と、溝に付随する液体除去装置と、を備える液浸リソグラフィ投影装置が提供される。
【００１６】
本発明の一態様によれば、基板を保持し、基板から流れて基板テーブル上面の端部を越える液体流れが許容されている基板テーブルと、液体をとらえるよう基板テーブル端部下方に位置決め可能である溝と、端部のうち上面からの最遠部位と溝の一部分との間に設けられた低剛性膜と、を備える液浸リソグラフィ投影装置が提供される。
【００１７】
本発明の一態様によれば、パターンが付与された放射ビームを液浸流体を通じて基板に投影し、基板から流れ出した液浸流体が、基板が保持されている基板テーブルの上面端部を越えて流出するのを許容することを含み、基板から前記端部を越えて流出する流体は前記端部下方に位置する溝により捕らえられ、該流体は該溝の開口を覆う流体浸透部材を浸透するデバイス製造方法が提供される。
【００１８】
本発明の一態様によれば、パターンが付与された放射ビームを液浸流体を通じて基板に投影し、基板が保持されている基板テーブル上面端部を越えて基板から液浸流体の流出を許容し、基板から前記端部を越えて流出する流体を前記端部下方に位置する溝により捕らえ、前記溝外部から前記溝内部へ前記流体を案内することを含むデバイス製造方法が提供される。
【００１９】
本発明の一態様によれば、基板を保持し、基板から流れて基板テーブル上面の端部を越える液体流れが許容されている基板テーブルと、前記液体を回収し、前記基板テーブルとは独立に移動する溝と、を備える液浸リソグラフィ投影装置が提供される。
【００２０】
本発明の一態様によれば、基板を保持し、基板から流れて基板テーブル上面の端部を越える液体流れが許容されている基板テーブルと、前記液体を回収する溝と、を備え、前記溝は、前記端部に平行な方向に細長い液浸リソグラフィ投影装置が提供される。
【図面の簡単な説明】
【００２１】
【図１】本発明の一実施形態に係るリソグラフィ装置を示す図である。
【００２２】
【図２】リソグラフィ投影装置で用いられる液体供給システムを示す図である。
【００２３】
【図３】リソグラフィ投影装置で用いられる液体供給システムを示す図である。
【００２４】
【図４】リソグラフィ投影装置で用いられる他の液体供給システムを示す図である。
【００２５】
【図５】本発明の一実施形態において液体供給システムとして使用されうる液体供給及び液体除去システムとして機能するバリア部材の断面図である。
【００２６】
【図６】本発明の一実施形態に係る液体供給システム及び液体除去システムの断面図である。
【００２７】
【図７】図６に示す基板テーブル及び液体除去システムの平面図である。
【００２８】
【図８ａ】基板テーブル端部及び溝部の詳細断面図である。
【００２９】
【図８ｂ】溝部の他の例の断面図である。
【００３０】
【図９】流路の断面図である。
【００３１】
【図１０】溝部の一例の断面図である。
【００３２】
【図１１ａ】溝部の底部のバリア部材を示す図である。
【図１１ｂ】溝部の底部のバリア部材を示す図である。
【図１１ｃ】溝部の底部のバリア部材を示す図である。
【図１１ｄ】溝部の底部のバリア部材を示す図である。
【００３３】
【図１２ａ】溝部及びポンプの配置例を示す図である。
【図１２ｂ】溝部及びポンプの配置例を示す図である。
【００３４】
【図１３】溝部の能動液体除去システムの断面図である。
【００３５】
【図１４】溝部の他の一例の断面図である。
【発明を実施するための形態】
【００３６】
図１は、本発明の一実施形態に係るリソグラフィ装置を模式的に示す図である。この装置は以下のものを備える。
【００３７】
放射ビームＢ（例えばＵＶ放射またはＤＵＶ放射）を調整するよう構成されている照明光学系（イルミネータ）ＩＬ。
【００３８】
パターニングデバイス（例えばマスク）ＭＡを支持するよう構成され、所定のパラメータに従ってパターニングデバイスを正確に位置決めするよう構成されている第１の位置決め装置ＰＭに接続されている支持構造（例えばマスクテーブル）ＭＴ。
【００３９】
基板（例えばレジストでコーティングされたウエーハ）Ｗを保持するよう構成され、所定のパラメータに従って基板を正確に位置決めするよう構成されている第２の位置決め装置ＰＷに接続されている基板テーブル（例えばウエーハテーブル）ＷＴ。
【００４０】
パターニングデバイスＭＡにより放射ビームＢに付与されたパターンを基板Ｗの（例えば１つ以上のダイからなる）目標部分Ｃに投影するよう構成されている投影系（例えば屈折投影レンズ系）ＰＳ。
【００４１】
照明系は、放射の方向や形状の調整またはその他の制御用に、各種の光学素子例えば屈折光学素子、反射光学素子、磁気的光学素子、電磁気的光学素子、静電的光学素子または他の各種光学部品を含んでもよく、あるいはこれらの任意の組み合わせを含んでもよい。
【００４２】
支持構造は、パターニングデバイスの向きやリソグラフィ装置の構成、あるいはパターニングデバイスが真空環境下で保持されるか否かなどの他の条件に応じた方式でパターニングデバイスを保持する。支持構造においてはパターニングデバイスを保持するために、機械的固定、真空固定、静電固定、または他の固定用技術が用いられる。支持構造は例えばフレームまたはテーブルであってよく、必要に応じて固定されていてもよいし移動可能であってもよい。支持構造は、パターニングデバイスを例えば投影系に対して所望の位置に位置決めできるようにしてもよい。本明細書では「レチクル」または「マスク」という用語を用いた場合には、より一般的な用語である「パターニングデバイス」に同義であるとみなされるものとする。
【００４３】
本明細書では「パターニングデバイス」という用語は、例えば基板の目標部分にパターンを形成すべく放射ビームの断面にパターンを付与するために使用され得るいかなるデバイスをも指し示すよう広く解釈されるべきである。放射ビームに与えられるパターンは、例えば仮に放射ビームのパターンが位相シフトフィーチャあるいはいわゆるアシストフィーチャを含む場合には、基板の目標部分に所望されるパターンと厳密に対応していなくてもよい。一般に、放射ビームに付与されるパターンは、目標部分に形成される集積回路などのデバイスの特定の機能層に対応する。
【００４４】
パターニングデバイスは透過型であっても反射型であってもよい。パターニングデバイスの例としては、例えばマスクやプログラマブルミラーアレイ、プログラマブルＬＣＤパネルなどがある。マスクはリソグラフィの分野では周知であり、バイナリマスクやレベンソン型位相シフトマスク、ハーフトーン型位相シフトマスク、更に各種のハイブリッド型マスクが含まれる。プログラマブルミラーアレイの一例としては、小型のミラーがマトリックス状に配列され、各ミラーが入射してくる放射ビームを異なる方向に反射するように個別に傾斜されるというものがある。これらの傾斜ミラーにより、マトリックス状ミラーで反射された放射ビームにパターンが付与されることになる。
【００４５】
本明細書では「投影系」という用語は、使用される露光光あるいは液浸や真空の利用などの他の要因に関して適切とされるいかなる投影系をも包含するよう広く解釈されるべきである。投影系には例えば屈折光学系、反射光学系、反射屈折光学系、磁気的光学系、電磁気的光学系、静電的光学系、またはこれらの任意の組み合わせなどが含まれる。以下では「投影レンズ」という用語は、より一般的な用語である「投影系」と同義に用いられ得る。
【００４６】
ここに説明されるのは、（例えば透過型マスクを用いる）透過型のリソグラフィ装置である。これに代えて、（例えば上述のようなプログラマブルミラーアレイや反射型マスクなどを用いる）反射型のリソグラフィ装置を用いることもできる。
【００４７】
リソグラフィ装置は２つ以上（２つの場合にはデュアルステージと呼ばれる）の基板テーブル（及び／または２つ以上のパターニングデバイステーブル）を備えてもよい。このような多重ステージ型の装置においては追加されたテーブルは並行して使用されるか、あるいは１以上のテーブルで露光が行われている間に他の１以上のテーブルで準備工程を実行するようにしてもよい。
【００４８】
図１に示されるようにイルミネータＩＬは放射源ＳＯから放射ビームを受け取る。例えば光源がエキシマレーザである場合には、光源とリソグラフィ装置とは別体であってもよい。この場合、光源はリソグラフィ装置の一部を構成しているとはみなされなく、放射ビームは光源ＳＯからイルミネータＩＬへとビーム搬送系ＢＤを介して受け渡される。ビーム搬送系ＢＤは例えば適当な方向変更用のミラー及び／またはビームエキスパンダを含んで構成される。あるいは光源が例えば水銀ランプである場合には、光源はリソグラフィ装置に一体に構成されていてもよい。光源ＳＯとイルミネータＩＬとは、またビーム搬送系ＢＤが必要とされる場合にはこれも合わせて、放射系または放射システムと総称される。
【００４９】
イルミネータＩＬは放射ビームの角強度分布を調整するためのアジャスタＡＤを備えてもよい。一般にはアジャスタＡＤにより、イルミネータＩＬの瞳面における強度分布の少なくとも半径方向外径及び／または内径の大きさ（通常それぞれ「シグマ−アウタ（σ−ｏｕｔｅｒ）」、「シグマ−インナ（σ−ｉｎｎｅｒ）」と呼ばれる）が調整される。加えてイルミネータＩＬは、インテグレータＩＮ及びコンデンサＣＯなどの他の要素を備えてもよい。イルミネータはビーム断面における所望の均一性及び強度分布を得るべく放射ビームを調整するために用いられる。
【００５０】
放射ビームＢは、支持構造（例えばマスクテーブル）ＭＴに保持されるパターニングデバイス（例えばマスク）ＭＡに入射して、当該パターニングデバイスによりパターンが付与される。マスクＭＡを通過した放射ビームＢは投影系ＰＳに進入する。投影系ＰＳはビームを基板Ｗの目標部分Ｃに投影する。第２の位置決め装置ＰＷと位置センサＩＦ（例えば、干渉計、リニアエンコーダ、静電容量センサなど）により基板テーブルＷＴを正確に移動させることができる。基板テーブルＷＴは例えば放射ビームＢの経路に異なる目標部分Ｃを順次位置決めするように移動される。同様に、第１の位置決め装置ＰＭと他の位置センサ（図１には明示せず）とにより放射ビームＢの経路に対してパターニングデバイスＭＡを正確に位置決めすることができる。この位置決めは例えばマスクライブラリからのマスクの機械的交換後や露光走査中に行われる。一般に支持構造ＭＴの移動は、第１の位置決め装置ＰＭの一部を構成するロングストロークモジュール（粗い位置決め用）及びショートストロークモジュール（精細な位置決め用）により実現される。同様に基板テーブルＷＴの移動は、第２の位置決め装置ＰＷの一部を構成するロングストロークモジュール及びショートストロークモジュールにより実現される。ステッパでは（スキャナとは逆に）、支持構造ＭＴはショートストロークのアクチュエータにのみ接続されているか、あるいは固定されていてもよい。パターニングデバイスＭＡと基板Ｗとは、パターニングデバイスのアライメントマークＭ１、Ｍ２及び基板アライメントマークＰ１、Ｐ２を用いてアライメントされてもよい。図においては基板アライメントマークが専用の目標部分を占拠しているが、アライメントマークは目標部分間のスペースに配置されてもよい（これはスクライブライン・アライメントマークとして公知である）。同様に、パターニングデバイスＭＡに複数のダイがある場合にはパターニングデバイスのアライメントマークをダイ間に配置してもよい。
【００５１】
図示の装置は例えば次のうちの少なくとも１つのモードで使用され得る。
【００５２】
１．ステップモードにおいては、放射ビームに付与されたパターンの全体が１回の照射（すなわち単一静的露光）で目標部分Ｃに投影される間、支持構造ＭＴ及び基板テーブルＷＴは実質的に静止状態とされる。そして基板テーブルがＸ及び／またはＹ方向に移動されて、異なる目標部分Ｃが露光される。ステップモードでは露光フィールドの最大サイズが単一静的露光で転写される目標部分Ｃのサイズを制限することになる。
【００５３】
２．スキャンモードにおいては、放射ビームに付与されたパターンが目標部分Ｃに投影される間（すなわち単一動的露光の間）、支持構造ＭＴ及び基板テーブルＷＴは同期して走査される。支持構造ＭＴに対する基板テーブルＷＴの速度及び方向は、投影系ＰＳの拡大（縮小）特性及び像反転特性により定められる。スキャンモードでは露光フィールドの最大サイズが単一動的露光での目標部分の（非走査方向の）幅を制限し、スキャン移動距離が目標部分の（走査方向の）長さを決定する。
【００５４】
３．別のモードにおいては、支持構造ＭＴがプログラム可能パターニングデバイスを保持して実質的に静止状態とされ、放射ビームＰＢに付与されたパターンが目標部分Ｃに投影される間、基板テーブルＷＴが移動または走査される。このモードではパルス放射源が通常用いられ、プログラム可能パターニングデバイスは、基板テーブルＷＴの毎回の移動後、または走査中の連続放射パルス間に必要に応じて更新される。この動作モードは、上述のプログラマブルミラーアレイ等のプログラム可能パターニングデバイスを利用するマスクレスリソグラフィに容易に適用することができる。
【００５５】
上記で記載したモードを組み合わせて動作させてもよいし、各モードに変更を加えて動作させてもよいし、さらに全く別のモードでリソグラフィ装置を使用してもよい。
【００５６】
基板と投影系ＰＳの末端素子との間に液体を供給する従来の構成は２種類に分類される。１つは浴槽形式である。このタイプは、基板Ｗ全体（場合によっては基板テーブルＷＴの一部も）が液体槽に浸される。もう１つはいわゆる局所液浸システムである。これは、基板の局所領域にのみ液体を供給する液体供給システムを使用する。後者のタイプでは、液体が占める空間は基板上面よりも平面視において小さく、液体が占める領域は基板Ｗがその領域に対して移動するときも投影系ＰＳに対して静止したままである。
【００５７】
本発明の一実施形態が主として対象とする別の構成例は、液体を封じ込めない完全湿式法である。この構成は、基板上面全体及び基板テーブル全体（または基板テーブル一部）が液浸液に覆われる。これは、基板上面全体が同一条件に置かれるという点で有利である。これは基板温度制御及び基板処理に有利である。また、液浸液中の汚染物質を洗い流すことも可能である。
【００５８】
図２乃至図５のいずれに示される液体供給装置も完全湿式システムに使用可能であるが、シール構造は存在していないか、動作していないか、通常ほど有効ではないか、あるいは局所領域のみに液体を封止するには何らかの点で有効ではない。図２乃至図５には４種類の異なる局所液体供給システムが示されている。図２乃至図４の液体供給システムについては上で述べた。
【００５９】
図５は、液体を局所的に供給するシステムを模式的に示す。この液体供給システムは基板テーブルと投影系の末端素子との間の空間の辺縁部の少なくとも一部に沿って延在するバリア部材１２を備える。バリア部材１２はＸＹ面内では投影系に対して実質的に静止しているが、Ｚ軸方向（光軸方向）にはある程度相対移動が可能である。一実施例においては、バリア部材と基板表面との間にシールが形成され、このシールはガスシールまたは流体シールのような非接触のシールである。
【００６０】
バリア部材１２は、投影系ＰＳの末端素子と基板Ｗとの間の空間１１に液体を少なくとも部分的に収容する。基板に対する非接触シール１６が投影系の結像領域の周囲に形成されていてもよい。その結果、投影系の末端素子と基板表面との間の空間に液体が封じ込められる。この空間の少なくとも一部は、投影系ＰＳの末端素子の下方及び周囲に配置されるバリア部材１２によって区切られて形成される。液体が、液体供給口１３により投影系下方かつバリア部材１２内部の空間に供給され、液体排出口１３により除去されてもよい。バリア部材１２は投影系末端素子の若干上方にまで延在していてもよい。これにより液位が末端素子よりも上方に上昇したときに液体のバッファーが形成される。一実施例ではバリア部材１２は上端部において内周形状が投影系またはその末端素子の形状に近似していてもよく、例えば円周状であってもよい。底部においては内周形状が結像領域の形状例えば長方形に近似していてもよいが、これは必須ではない。
【００６１】
液体はガスシール１６によって空間１１に保持されている。このガスシール１６は、使用時にバリア部材１２の底部と基板Ｗの表面との間に形成される。ガスシールは例えば空気や合成空気などの気体により形成されるが、一実施例ではＮ２や他の不活性ガスでもよい。ガスシールは、バリア部材１２と基板との間隙に吸気口１５から負圧を供給するとともに排気口１４で吸引することにより形成される。ガス吸気口１５での超過圧力、排気口１４での真空レベル、及び間隙の幾何形状は、液体を封じ込める高速なガス流れ１６を中心方向に生じさせるように構成される。バリア部材１２と基板Ｗとの間で気体から液体に作用する力により空間１１に液体が保持される。これらの吸気口及び排気口は空間１１を取り囲む環状の溝であってもよい。環状溝は連続していても非連続であってもよい。ガス１６の流れは空間１１に液体を保持するのに有効なものとされる。このようなシステムは米国特許出願公開第２００４−０２０７８２４号明細書に開示されている。
【００６２】
他の構成も可能であることは以下の説明からも明らかであろう。また、本発明の一実施形態は、液体供給システムとしてのいかなる形式の局所液体供給システムにも使用可能でありうる。
【００６３】
局所液体供給システムには、その液体供給システムの一部と基板Ｗとの間をシールするものがある。液体供給システムの該一部と基板Ｗとの相対運動により、そのシールが破れて液体が漏れるおそれがある。
【００６４】
局所領域液体供給システムの課題は、基板と投影系との相対移動に際して液浸液を完全に保持して基板上に残さないようにするのが難しいということである。液体が失われるのを避けるには、液体供給システムに対する基板の移動速度を制限すべきである。液浸リソグラフィ装置で高ＮＡ値を生成する液浸液については特にそうであり、水以外の液体についてはなおさらである。そのような液体は水よりも低表面張力かつ高粘性の傾向がある。表面張力及び粘性に対応するメニスカス破断速度を越えると、高ＮＡ液体を保持するのは非常に難しい。基板上の一部の領域に液体が残されると、液浸液の蒸発により基板の（例えば基板表面において）温度変動が生じ得る。そうすると、オーバレイエラーが生じ得る。
【００６５】
また、液浸液が蒸発するときに、（汚染物質またはパーティクルに由来する）乾燥ステインが基板Ｗに残されうる。また、基板上のレジストに液体が拡散することで、基板上面の光化学性に不一致が生じ得る。浴槽法（液槽に基板を浸す方式）によりこれらの問題を緩和することも可能であるが、浴槽法では液浸装置における基板交換が難しくなりうる。本発明の一実施形態においては、以下でこれらの課題の１つまたは複数に対処する。
【００６６】
本発明の一実施形態においては、投影系ＰＳ下方及び基板Ｗ上方に液体を供給するために局所液体供給システムＬＳＳが使用される。その領域に液体流れが生成される。そのためにいかなる局所液体供給システム（例えば図２乃至図５に示されるいずれかの形式）が使用されてもよく、図５に示されるものでもよいしその変形例であってもよい。しかし、局所液体供給システムＬＳＳと基板Ｗとの間に形成されるシールは特に良好に作られていなくてもよく、まったく設けられていなくてもよい。すなわち、液体供給システムにより液体が封止されていなくてもよい。例えば、バリア部材１２の下側の構成要素すべてが図５の実施形態から省略されていてもよい。シール形式は本発明の一実施形態において重要ではないし、あるいはシールがまったく設けられていなくてもよい。図６に示されるように、液体１７のフィルムまたは液体１７の層が基板Ｗ上面全体を実質的に覆うよう設計されていてもよい。基板テーブルＷＴの上面が液体層１７で完全にまたは部分的に覆われていてもよい。２００６年６月２２日出願の米国特許出願第１１／４７２，５６６号は基板Ｗ上面全体が液体フィルム１７で覆われる他の実施形態を複数開示している。本発明の一実施形態は米国特許出願第１１／４７２，５６６号に開示される液体供給システムにも適用可能であると理解されたい。
【００６７】
本発明の一実施形態においては、基板テーブルＷＴの少なくとも２つの端部４００から液体の排出が許容されている。これらの端部は、基板テーブル上面の端部である。各端部は端部面４０７を有する。これらの端部は互いに基板テーブルＷＴの反対側の端部である。端部は、基板テーブルＷＴ（または基板テーブルＷＴ上面）の外側端または最外端である。一実施例では、端部４００は、走査移動（スキャン移動ともいう）に実質的に垂直な基板テーブル端部である。この走査方向は、最長ストローク（つまり長ストローク方向）及び最大加速度の方向である。このストローク中に、基板テーブルＷＴ端部のごく狭い部位ではなく、少なくとも半分の長さあるいは全体から液体の排出が許容される。端部を越えて放射方向外側に流れる基板テーブルからの液体流出に対する障壁（及び／または基板テーブルＷＴ上面に取り付けられた障壁）が存在しないように構成されていてもよい。
【００６８】
図７に示されるように、走査方向に実質的に平行な端部に沿ってバリア４０１が設けられていてもよい。このバリアは基板テーブルＷＴ上面から突出し、この端部から液体が流れ落ちるのを防ぐ。しかしこれは必須ではなく、基板テーブルＷＴ上面のすべての端部から液体が排出されるよう構成されていてもよい。
【００６９】
端部４００から流出した液体は、少なくとも１つの溝部（ガターともいう）５００に捕らえられてから排出される。溝部５００は、基板テーブルＷＴまたは少なくとも基板を保持する部位から機械的に動的に切り離されていてもよい。溝部５００は、長ストローク位置決め機構に取り付けられていてもよいし、長ストローク位置決め機構から独立であってもよい。基板を保持する部位または基板テーブルＷＴと溝部５００との相対位置は固定されていてもよいし、相対移動可能であってもよい。一実施例では溝部５００は独自の独立した位置決め機構を有するが、これは必須ではない。端部４００に対し溝部５００を実質的に定位置に移動させるコントローラが設けられていてもよい。溝部５００は、基板テーブルＷＴから独立して移動されてもよい。この独立移動は、基板テーブル端部の長手方向に垂直な方向であってもよい。
【００７０】
図６は、本発明の一実施形態に係り、走査方向に平行な平面による部分断面図である。図示されるように、走査方向に実質的に垂直に端部４００から液体の排出が許容されている。液体は端部から流出して該端部下方に位置する溝部５００へと流れ落ちている。図６の端部４００及び溝部５００はともに紙面に垂直方向に長手方向が延びている。これは図７に、よりはっきりと示されている。図７は基板テーブル及び溝部５００の構成を示す平面図である。
【００７１】
図６に示されるように、投影系と基板Ｗとの間の領域に液体が供給されている。液体供給システムＬＳＳの下方から基板Ｗの上面全域へと液体の漏れが許容されている。液体はさらに基板テーブルＷＴの上面へと漏れ流れる。そして液体は端部４００を越えて端部面４０７（すなわち基板テーブル上面に実質的に垂直な面）の少なくとも一部を下方に溝部５００へと流れる。溝部５００から液体は除去される。
【００７２】
基板テーブルが静止していると、基板Ｗ及び基板テーブルＷＴ上面を覆う液体層１７の厚さが増加していく。ある厚さに達すると（液体の特性及び／または基板テーブルの形状に依存するが）、液体は端部４００を越えて端部面４０７を下方に溝部５００へと流れる。端部の下端４０９（すなわち端部のうち上面から最も遠い部位）から溝部５００へと液体は落ちる。端部下端４０９に個々に液滴が生じ下端４０９から分離されて溝部５００に落下すると問題が起こりうる。端部４００の特定位置からしか液体が流れなくなり端部４００における流れ抵抗が増大するおそれがあるからである。流れ抵抗が大きくなると、基板テーブルＷＴ上の液浸液層１７は厚くなる。液浸液層が厚いと慣性により基板テーブルＷＴが移動開始するときに端部４００及び溝部５００へと受け渡されるので不都合である。層厚が非常に大きい場合には、溝部５００がすぐに一杯になってしまう。溝部５００が一杯になると溝部５００に作用する負荷が大きくなる。また、溝部５００内で波や液跳ねが生じやすくなる。このような過度の液量を収容する大きさの溝部５００としなければならなくなることも不都合である。
【００７３】
また、基板テーブルＷＴの加速中に端部４００の下端４０９の液滴が基板テーブルＷＴ端部４００から離れる可能性もある。その結果、基板テーブルＷＴの端部４００の面４０７が非湿化され液滴が形成される。この液滴形成は、飛沫化及び液浸装置の汚染をもたらすため有害である。飛沫化は２つの結果を少なくとも生む。第１に、液浸装置（通常は液浸システム）表面に接触または到達する液滴を形成することである。液滴の蒸発は熱負荷となり、また、乾燥によりステイン、汚染物質、汚染パーティクルの発生源となる。第２に、液浸システム周囲の気体の蒸気圧が大きくなる（つまり液浸液の湿度が増える）。
【００７４】
基板テーブルのストローク移動により、液体流れは、最小量の最小速度での移動から最大量の最大速度での移動へと変動する。一実施例では、基板テーブルＷＴの移動を制御することにより流れ変化が管理される。例えば、溝部への液体流れが滑らかであることを保証するのに役立つように基板テーブル移動が管理されてもよい。その結果、最大速度における液浸液量が溝部５００に滑らかに「落下」し滑らかに除去されてもよい。この加速がうまく管理されない場合には液体流れは液滴を形成し飛沫化し得る。
【００７５】
上述の課題に対処するためには、端部４００のうち基板テーブル上面から最も遠い部位と溝部５００の一部分との間に小さい間隙を設け、端部４００の下方に溝部５００を配置することが望ましい。一実施例では、端部の基板テーブルＷＴ上面からの最遠部位（つまり最下端４０９）は、溝部５００の一部分から５ｍｍ以内または３ｍｍ以内である。基板テーブルＷＴ上面から溝部５００を分離状態としておくためには、少なくとも非接触とすべきである。
【００７６】
一実施例では、５ｍｍ以内にある最遠端と溝部５００の一部とは、液体表面張力により該最遠部と該一部との間隙が液体で橋渡しされ該最遠部から分断されないよう十分に近接している。
【００７７】
このように間隙の寸法を小さくすることにより、端部４００の下端４０９から溝部５００の一部分に直接液体が流出することが許容される。この間隙により液滴形成が避けられる。液体表面張力の粘着により、端部４００の下端４０９から溝部５００への液体の横断が許容される。これにより端部４００から溝部５００への液体流れが改善される。上述の寸法制限を満たす１つの方法は、下方に延在する突起（例えば縁部６００）を基板テーブルＷＴの端部４００の下部に設けることである。縁部６００は連続リムであってもよいし、あるいは、反復的に配列された例えば１つまたは複数の縁部として非連続であってもよい。縁部６００の配列を端部４００周囲に設けることにより、濡れ状態を保ちやすくなる。各縁部６００は、液体表面または液体メニスカスを固定する尖端を有する。液体表面が滑らかであると、液体表面張力は基板テーブルＷＴ表面に液体を薄くのばすのに役立ち、基板テーブルＷＴ表面は通常よりも広く液体に覆われる。端部４００に沿って縁部６００の配列間隔を調整することにより、基板テーブルＷＴ表面をより広く覆うことが可能となる。縁部６００間の距離を最適化することにより、基板テーブルＷＴ表面全域が非濡れ状態とならないようにすることができる。縁部６００は、基板テーブルＷＴのトップブロックまたはチャックの下方に基板テーブルＷＴの端部４００の下端４０９を延在して形成してもよい。これにより溝部５００を配置する空間を確保できる。特に、溝部５００の少なくとも１つの側壁７００を端部４００の下端４０９の上方へと延在させることができる。これにより、液浸液が漂って装置が汚染されるのを抑えることができる。
【００７８】
縁部６００は溝部に向かう液体に方向を与えるよう角度を有していてもよい。
【００７９】
縁部から５ｍｍ以内である溝部５００の一部分は、いかなる部分でも部材でも突起であってもよい。例えば、縁部６００の下方に位置する細長突起６０４であってもよい。この突起は壁のように連続的であってもよいし、（反復して）配列される１つまたは複数の舌部のように非連続的であってもよい。縁部６００及び突起６０４は、液体が縁部６００から突起６０４へと両者を橋渡しして流れ落ちるようにある距離隔てて配置されてもよい。この間隙は小さいので、液体表面張力により液体流れは飛沫化されない。
【００８０】
溝部５００は基板テーブルＷＴとは異なる動きをし得るので、縁部６００及び突起６０４は、対応して動くように構成されていることが望ましい。すなわち、突起６０４の上端は通常（好ましくは常に）縁部６００の下端の下方に位置するように対応して動くことが好ましい。よって、対向する両端部の間隔は最小化され、それにより飛沫も最小化されてもよい。一実施例では、溝部５００は基板テーブルＷＴに追従して移動する。これは、溝部に進入する液体の直線運動（直線的な水平方向の運動量による）を補償するためである。溝部においても液体は水平方向運動量を実質的に保持する。しかし、溝部の相対速度は変化するので、液体は溝部に完全に垂直には落下しない。相対速度は、複数回のストローク移動が連続して生じるときにはテーブルの相対水平速度に従って振動的に変動する。追従移動または突起形状（望ましくは舌部の形状）により、液体が溝部に到達するまでの間隙が最小化または低減されてもよい。この追従移動は、溝部５００を移動させかつ溝部５００の移動により突起６０４を移動させるアクチュエータを制御するコントローラを使用することにより実現されてもよい。また、突起６０４は、溝部に対して移動されてもよい。例えばこの移動は、突起６０４の上面が溝部に対して移動する揺動運動であってもよい。また、縁部６００の端部とそれに対向する突起６０４の端部との間隙が溝部５００と基板テーブルＷＴとの相対移動中に保たれるように突起６０４の形状が定められていてもよい。縁部６００が突起の配列である（つまり非連続である）場合には、突起６０４は突起（舌部）の反復配列であってもよい。下向きに延びる突起６００のそれぞれに対応して上向きに延びる突起６０４が設けられていてもよい。
【００８１】
よって、液体は縁部６００から突起６０４へと流れる。これは図６に示されている。縁部６００または突起６０４またはこれら双方は、弾性部材で形成されていてもよい。そうすると、縁部６００と突起６０４との間またはその他の部材との間で仮に衝突したとしても変形可能である。意図されていない衝突による損傷を防ぐことができる。また、端部の長さ方向に延びる縁部６００を使用することは、液体が縁部から離れない場合であっても基板Ｗ保持面からの位置が他の部位よりも遠くなっているという点で有利である。縁部６００を使用することにより基板Ｗ（基板テーブルＷＴ）への影響を小さくすることができる。
【００８２】
小間隙が低剛性膜で置き換えられてもよい。低剛性膜は間隙を接続し、縁部６００から突起６０４に液体が流れるのを許容する。この膜は剛性が低いので、縁部６００と突起６０４との間でほとんど（またはまったく）力が伝わらない。この膜は基板テーブルの速度変化によりたわむ。そうして、基板テーブルから溝部に向かう液体流れ経路が追従する。これにより、基板テーブルから離れても運動量を保持する液体の流れ補償が可能である。
【００８３】
図８ａにおいては、縁部の下端から５ｍｍ以内である溝部５００の一部がハニカム材７１０である。すなわち、ハニカム材７１０は平面視で六角形形状の流路を与える。しかし、溝部５００の外部から溝部５００の底部に導く複数の流路を与えるいかなる構造が使用されてもよい。よって、流路形状は六角形でなくてもよく、円形、四角形、三角形などその他のいかなる形状であってもよい。この場合、流路を形成する構造の壁部は、端部の縁部６００の下端４０９から５ｍｍ以内である溝部５００の一部分である。
【００８４】
一実施例では、縁部６００から５ｍｍ以内である溝部５００の一部分は浸透性部材であってもよい。例えば浸透性の布または有孔プレートであってもよい。浸透性部材は、親液体性の外面及び／または疎液体性の内面を有してもよい。そうすれば、溝部５００への液体の進入を促進し、溝部から浸透性部材を通じて液体が逆流するのを阻害することができる。
【００８５】
基板テーブルＷＴの下面を液体が伝うのを防ぎ、基板テーブルＷＴの構成要素を濡らさないようにすることが好ましい。そのために、縁部６００の内面を疎液体性としてもよい。内面というのは基板テーブルＷＴの中心に近いほうの表面である。縁部の外面（図９においては右側の面）を親液体性とすれば、端部４００で液体フィルムが破れる可能性を小さくできる。端部４００の他の部位も有利には親液体性とされてもよい。さらに、縁部６００の端部または端部の下端４０９を尖らせた場合には（例えば、半径１ｍｍ未満、半径０．５ｍｍ未満、半径０．１ｍｍ未満、または半径０．０１ｍｍ未満）、端部４００の下方を液体が伝う可能性を小さくできる。
【００８６】
よって、縁部６００を設けることにより、基板テーブルＷＴの端部４００が非濡れ状態となるおそれを少なくできる。また、端部４００の基板テーブルＷＴ上面からの最遠部位から小さい間隙を有する溝部５００の一部分を設けることは、液体が端部４００を越えて滑らかに流れるのを保証するのに役立つ。また、液体層が離れるおそれも小さくできる。
【００８７】
上述のように、溝部５００の少なくとも一部は、溝部５００の外部から溝部５００の底部への（好ましくは垂直または垂直に近い）流路を与える構造で満たされていてもよい。図８に示されるように、流路７１０は、溝部５００の底部まで完全に延びていなくてもよい。流路７１０の下端と溝部５００の底部との間に空間７２０が残されている。空間７２０は、流路から液体を逃がし、溝部５００に沿って排出箇所まで液体を流すことができる。この排出箇所を通じて溝部５００から液体は排出される。
【００８８】
これらの流路は溝部５００が液体で一杯になろうとするときに役に立つ。このような状況は例えば、基板テーブルＷＴが静止してからある時間経過後に起こりうる。次いで基板テーブルが特に長ストロークの移動をすると、移動完了までの間に、大量の液体が溝部へと向かう。そして大量の液体が短時間に溝部に流れ込む。大量の液体による問題は、特に溝部が移動する場合に溝部５００で液体が跳ねることである。
【００８９】
垂直流路を設けることにより、溝部の液体表面が小部分に分割される。よって大きな波が生じるのを防ぐことができる。これにより液体の跳ねも防止される。跳ねは防止されるが、垂直流路の存在により溝部への液体流入速度は実質的にほとんど低下しない。
【００９０】
これらの構造はプラスチックで形成することができるので比較的安価である。また、この構造は軽量であり、溝部５００に容易に組み込むことができる。この構造は溝部の側壁に一体に形成されていてもよい。また、この構造は溝部５００に構造的に取り付けられていてもよい。この場合、溝部５００の残りの部分を弱く（つまり薄く）することができる。流路構造により必要な剛性を与えることが可能だからである。例えば、溝部の外壁７００を薄くすることができる。
【００９１】
一実施例では、垂直流路は、液体が８０度乃至１４０度の範囲の接触角を液体が有する材料で形成されている。一実施例では、その材料と液体との接触角は９０度より大きく、１００度より大きく、１１０度より大きく、または１２０度より大きい。図９は接触角αを示す。この接触角は液跳ねが生じにくい最良の状況を示す。また、流路の最大寸法は平面視において２ｍｍ乃至６ｍｍの範囲にあることが望ましく、３ｍｍ乃至５ｍｍの範囲にあることが望ましい。この最大寸法が小さすぎると流路に液体がつまるおそれがある。そうすると液体流れが妨げられてしまう。最大寸法が大きすぎると流路内で液体が跳ねてしまう。そうすると液体は十分にエネルギを得て流路上部を通じて流路から脱出してしまうおそれがある。
【００９２】
各垂直流路の底部に一方向弁を設けてもよい。受動的な一方向弁が使用されてもよい。流路外部に液体が噴霧されるのを防ぐことができる。このような噴霧は、溝部５００の加速（本明細書では正の加速及び負の加速（減速）の両方を意味するものとする）により圧力が上昇したときに生じ得る。弁は例えば膜で形成されていてもよい。弁は差圧で切り替えられてもよい。または加速により切り替えられる質量平衡弁であってもよい。図８ｂは、各垂直流路底部に一方向弁７１５を有する溝部５００を示す。
【００９３】
液体は溝部５００の底部から除去される。しかし、除去される前に、溝部５００の底部の空間７２０に液体がある時間滞留してもよい。液体の滞留は例えば、基板テーブルＷＴが実質的にある時間静止してから移動したときに起こりうる。この場合液跳ねが生じ得る。
【００９４】
図１０に示されるように、溝部５００の底部の空間７２０に少なくとも１つのバリア部材７３０が設けられている。バリア部材７３０は、例えば溝部５００の移動の際に液体の慣性により空間７２０に生じる液体の溝部５００との相対移動の低減に有効である。バリア部材７３０は、液体移動が抑制されるべき方向に実質的に垂直な方向または少なくとも垂直成分を有する方向のいずれかに沿って延びている。バリア部材７３０を多く設けるほど高い効果を得られる。バリア部材７３０は溝部５００の一端から他端への液体流れ経路が存在するように配置されているが、これには限られない。例えば溝部５００の各長手方向端において溝部５００から液体が除去されてもよいからである。よってこの場合、溝部５００は２区画に分離されていてもよい。しかしこれは図１０には示されていない。液体は溝部５００のいかなる位置から除去されてもよいし、何カ所から除去されてもよい。分離された複数区画を設け、各区画から独立に液体を除去してもよい。
【００９５】
一実施例では、バリア部材７３０は、溝部５００の長手方向に実質的に平行な方向または少なくとも実質的に平行な成分を有する方向についての液体の溝部との相対移動を低減する位置及び向きを有する。図１１ａ乃至図１１ｄは４つの異なる実施例を示すが、これらには限定されない。図１１ｃに示されるように、溝部の長手方向に実質的に垂直な方向または少なくとも実質的に垂直な成分を有する方向についての液体の溝部との相対移動を低減する向きを有するバリア部材７３５が設けられていてもよい。しかし、これは長手方向に実質的に平行な相対移動を低減することよりは重要ではない。しかし、図１１ｃに示される溝部の特徴、すなわち溝部の長手方向に実質的に垂直な方向または少なくとも実質的に垂直な成分を有する方向についての液体の溝部との相対移動を低減する構成は、長ストローク方向に平行に位置する溝部に有用でありうる。短ストローク中の移動量は小さいので、短ストローク中の液体の跳ねを抑制する形状を長ストロークの溝部に設ける必要性は低い。しかし、短ストローク中に液体を回収するよう位置決めされた溝部には常に液体が落下しうる。このような短ストローク用の溝部においては長手方向に実質的に平行または少なくとも実質的に平行な成分を有する移動を低減することが望ましい。この方向は長ストローク移動が生じる方向であり、長ストローク中に短ストローク用の溝部には液体が存在しうるからである。よって、バリア部材７３５は長ストローク中の液体移動を低減しうる。
【００９６】
図１１ａの実施形態では、バリア部材７３０の外側端部が溝部５００の側壁７００に取り付けられている。バリア部材７３０は側壁７００に角度を有している（つまり側壁に垂直ではない）。例えば、バリア部材７３０は、長手方向に対し側壁７００から３０度乃至６０度の角度を有していてもよい。一実施例では、バリア部材７３０は、側壁７００に４０度乃至５０度の角度を有する。バリア部材７３０の自由端は、バリア部材７３０の（壁部７００に取り付けられている）外側端部よりも溝部５００の最近接端に接近している。よって、図１１ａに示される溝部５００の左側においてはバリア部材７３０の自由端は固定端よりも溝部５００の左側端部に近接している。逆に、図１１ａに示される溝部５００の右側においてはバリア部材７３０の自由端は固定端よりも溝部５００の右側端部に近接している。この構成は、矢印７０５で示すように左右に溝部５００が移動する場合にポンプとして有効に機能する。このように作用するのは、溝部が左に移動する場合にバリア部材により液体が溝部５００に対して右に移動するのが妨げられるからである。しかしその逆は真ではなく、溝部５００が右に移動する場合には液体は溝部の左へとより自由に移動する。これは溝部の左側についても同様である。よって、左右の往復動により、溝部５００の左側の液体は溝部５００の左端５１０（つまり近いほうの端部）に移動する。逆も同様である。つまり溝部５００の右側の液体は溝部５００の右端５１０（つまり近いほうの端部）に移動する。よって、バリア部材７３０はポンプとして動作する。
【００９７】
図１１ａのバリア部材７３０は、ヘリングボーン状のプロファイルまたはリブ状のプロファイルであってもよい。上述のように受動的なバリア部材７３０によりポンプ動作が実現されるので、駆動部材がないという点で有利である。同様の機能を実現する他の例は一方向弁を使用することである。以下に説明する図１１ｄはその一実施例を示す。
【００９８】
図１１ｂにおいては、溝部５００の側壁７００に直角である点を除き図１１ａと同様にバリア部材７３０が配置されている。図１１ｃには、図１１ｂと同様に設けられたバリア部材７３０が示されているが、すべてのバリア部材７３０が側壁７００に接続されているわけではないという点で異なる。さらに、側壁７００に実質的に平行なバリア部材７３５が設けられているという点でも異なる。これらは既に述べた。
【００９９】
図１１ｄの実施例では、バリア部材７３０は溝部５００を完全に横断して延びている。バリア部材７３０のそれぞれは２つの一方向弁７３２を有し、各一方向弁は流れ方向が異なる。バリア部材７３０はＳ字状の形状である。バリア部材７３０を通過するバルブの動きは、液体のバルブ通過前に側方から見たときのＳ字形状の凹部において生じる。図１１ｄは溝部の２方向の移動、及びそれによるポンプ動作を示している。
【０１００】
図１０は、複数の室を使用して液体の跳ねに対処する更なる例を示す。溝部５００の底部空間７２０において液体が動き回ることにより気体運動が生成される。これは、流路構造７１０の垂直流路が下方に流れる液体で遮断されるおそれがあり不利である。垂直流路の底部で（気体運動により）圧力が増加して、流路上部から液体が噴出しうる。この課題は、図１０の実施例により緩和される。垂直流路が形成される領域は、中央部のみに減らされている。溝部５００の外側領域５５０には垂直流路は形成されない。その代わりに、外側領域５５０は１つの大きな流路とされる。気体浸透性または多孔性の頂部５６０が、該頂部を通過する気体流れを与える。多孔性頂部５６０は、液体を通過させないように液体をはじく性質であってもよい。一実施例では、液体は多孔性頂部に対して９０度より大きい接触角、１００度より大きい接触角、１１０度より大きい接触角、または１２０度より大きい接触角を有する。このため、溝部５００の（例えば長手方向とは垂直方向に）大きな加速度が生じても、溝部５００の側壁７００に跳ねる液体は溝部５００の内部に止められる一方、これによる気体移動は制限されない。
【０１０１】
図１２ａは溝部５００の一例を示す。図１２ａにおいては、基板テーブルＷＴのそれぞれの端部のまわりに溝部が設けられている。４つの溝部が設けられており、それぞれが１つの端部を覆っている。各溝部５００の各末端にはポンプが設けられている。ポンプは４つある。各ポンプは、２つの溝部を接続する末端部に設けられている。よって、各溝部は２つのポンプに接続されている。これは、通常はある時点において隣接する２つの溝部が両方とも一杯にはならない（つまり、対向する２つの溝部が同時に実質的に一杯になるか空になる）ために、有利である。よって、一杯となった２つの溝部５００から排液するのに４つのポンプすべてが常に有効となる。１つのポンプまたは抽出器で対処できる量を超える液体を（例えば長ストローク移動の終了時に）１つの溝部が受けたとしても、２つの抽出システムまたはポンプに通じていることにより、液体排出が可能である。これは、隣接する２つの溝部の両方が同時に大量の液体を受けない場合に特に当てはまる。図１２ａ及び図１２ｂの実施形態を以下に詳しく述べる。しかしこれは一例にすぎず、他の構成も可能である。他の構成においても少なくとも２つの溝部でポンプを共有していてもよい。排出口は溝部の末端に必ずしも設けられていなくてもよいが、そのように設けられているほうが好ましい。溝部の中途に排出口があってもよい。各溝部の長手方向のどの位置に排出口が設けられているかとは関係なく、排出口は任意の数だけ設けられていてもよい。排出口及びポンプを多く設けるほど液体排出を迅速にすることができるが、複雑さや大きさ、重さについてコストが増すであろう。
【０１０２】
図１２ｂは、溝部５００の角部における溝部とポンプとの接続を示す図である。角部で基板テーブルから排出される液体は、基板テーブル及び／または隣接する溝部５００から副溝部５１０へと流れる。この副溝部は主溝部５００ほどは深くない。副溝部の底部は導管５１５により回収室５２０に接続されている。回収室５２０は副溝部５１０の下方に位置している。隣接する溝部５００の底部は導管５２５により回収室５２０に接続されている。回収室５２０は、液体を排出するポンプ５３０に接続されている。このシステムは、重力で溝部５００に液体が流れるという点で受動的である。
【０１０３】
図１３は、能動的に排出する別の実施例を示す図である。この実施例では、垂直流路の代わりに浸透性部材８００が設けられている。浸透性部材は、基板テーブル端部の５ｍｍ以内にある溝部に関して説明した浸透性部材の特性を有してもよい。浸透性部材は、溝部５００の上方開口を覆っている。浸透性部材８００は例えば浸透性の布であってもよい。浸透性部材は浸透性のプレートであってもよい。浸透性部材の貫通孔の寸法は、５μｍ乃至５０μｍであってもよい。このようにして、溝部５００の内側に負圧が生じた場合に、浸透性部材８００上の液体は浸透性部材８００を通じて溝部５００へと引き込まれる。こうして、液体が浸透性部材に落ちると負圧によって引き込まれてポンプ８１０により排出される。
【０１０４】
浸透性部材８００は、溝部の外側から溝部の内側への方向にのみ浸透性を有するか実質的に浸透性を有することが好ましい。浸透性部材８００は、液相にのみ浸透性を有してもよい（気相には浸透性を有しない）。これは、液体ですべての貫通孔が遮断されるように貫通孔の寸法及び負圧の大きさを調整することにより可能である。欧州特許出願公開公報ＥＰ１６２８１６３号には類似の原理の単相抽出器が開示されている。浸透性部材８００は、外側表面が親液体性であり、及び／または内側表面が疎液体性であることが好ましい。
【０１０５】
液体の飛沫をとらえるスカート８２０が設けられている。スカート８２０は、半浸透性であってもよいし、上述の浸透性部材８００の形状及び特性を有していてもよい。スカート８２０は、浸透性部材８００から除去されるべき液体がないときには溝部５００の外側から気体が吸引されるのを許容する。スカートは、格子プレート８４０と相俟って、基板テーブルＷＴ上方の環境を実質的に包囲する。同様のシステムが図６に示される実施例に使用されてもよい。これにより、基板テーブル上方の液浸流体の蒸気圧が増加される。液浸流体が水である場合には、基板テーブル上方が湿った雰囲気または高水分含有雰囲気となる。湿った雰囲気となることにより基板テーブルＷＴからの液体蒸発が減り、蒸発による冷却も小さくなる。このような雰囲気中の蒸気又は液体の含有は、液浸液の飛沫化によりもたらされ得る。部分８４０は格子プレート以外の部材により形成されていてもよい。スカート８２０はいずれの実施例に使用されてもよい。
【０１０６】
図１４は、更なる実施例に係る溝部を示す図である。図１４は、図１０の実施例の構成及び図１３の実施例の構成を含む。図１４の実施例では、溝部の長手方向に実質的に垂直な方向または少なくとも垂直成分を有する方向の加速に際して液体の緩衝（バッファ）容積を溝部に備える対策がとられている。加速は例えば方向９００に生じる。図示されるように、この例では、ステージ端部を越えて流れる液体は、縁部６００を流れ落ち、さらに溝部の外側側壁７００に向けて水平に流れ落ちる。重力が液体に作用して、液体は溝部の底部へと落ちていく。浸透性膜８００は、図１３の実施例のように縁部の下端から離れて位置している。浸透性膜の下方は溝部は液体で満たされる。外側領域５５０に液体を収容するために、外側領域は緩衝材１０００で満たされている。緩衝材１０００は好ましくは、溝部の外側端部に沿って位置する。緩衝材１０００は９５％の多孔率及び０．３ｍｍ乃至３ｍｍの孔径を有する多孔質材料（例えばプラスチックまたは金属の発泡体）である。孔の内部では、溝部の加速により生じる圧力よりも毛細管圧のほうが高い。よって、液体は緩衝材１０００の内部に効果的に保持され飛沫化しない。緩衝材１０００中の液体は、重力により、または浸透性膜８００の下方から吸引されることにより、浸透性膜８００からしみ出る（このようにして緩衝材中の毛細管現象により液体が輸送される）。通常の加速では液体は浸透性膜８００から漏れ出さない。外側領域５５０には内側で下方に延びる縁部１０１０が設けられている。側壁７００及び縁部１０１０は、両者の間に緩衝空間を画定し、多孔質頂部５６０にかぶさっている。
【０１０７】
第１の態様においては、基板を保持する基板テーブルであって、基板から流れて該基板テーブル上面の端部を越える液体流れが許容されている基板テーブルと、前記端部下方で液体を回収する溝と、を備え、前記基板テーブル及び前記溝は、少なくとも一時点において前記端部のうち前記上面からの最遠部位が前記溝の一部分と間隙を有して隔てられて設けられている液浸リソグラフィ投影装置が提供される。前記間隙は５ｍｍ以下であるか又は３ｍｍ以下であってもよい。前記一部分は、前記端部の前記上面からの最遠部位の実質的に垂直方向下方にあってもよい。前記端部の前記上面からの最遠部位及び前記溝の前記一部分は、前記液体の表面張力により該最遠部位から該一部分が断たれることなく該最遠部位と該一部分との間隙が橋渡しされるようになっていてもよい。前記最遠部位は、前記溝に液体を向ける縁部を備えてもよい。前記縁部は下方へと延在することが好ましい。前記縁部は、前記端部に沿って複数の縁部を備えることが好ましい。前記一部分は浸透性部材を備えてもよい。前記浸透性部材は浸透性の布を備えることが好ましい。前記浸透性部材は、前記溝の外部から前記溝の下方部位へと導く複数の流路をなす構造を備えることが好ましい。前記一部分は、上方に延在する部位を備えてもよい。前記一部分は、前記溝の長手方向に沿って配列された複数の舌部を備えることが好ましい。前記最遠部位は下方へと延在する縁部を備え、前記一部分は該縁部に位置が対応しており、前記一部分は前記溝から上方に延在する舌部を備えてもよい。前記間隙は小さい間隙であってもよい。前記溝は移動可能であってもよい。
【０１０８】
第２の態様においては、基板を保持する基板テーブルであって、基板から流れて該基板テーブル上面の端部を越える液体流れが許容されている基板テーブルと、前記端部下方で液体を回収する溝と、を備え、前記溝への開口が液体浸透性部材により覆われている液浸リソグラフィ投影装置が提供される。リソグラフィ投影装置は、前記溝に負圧を生成する負圧源をさらに備えてもよい。前記浸透性部材は、５μｍ乃至５０μｍの直径の貫通孔を有してもよい。前記浸透性部材は、前記上面からの最遠部位から３ｍｍ以内でありかつ非接触に位置するか、または、前記上面からの最遠部位から３ｍｍ以内でありかつ非接触に位置する突起を有してもよい。前記浸透性部材は、前記溝の外部から前記溝の内部への方向にのみ実質的に浸透性を有してもよい。前記浸透性部材は、使用に際して液相にのみ浸透性を有してもよい。前記浸透性部材は、浸透性の膜であってもよい。前記浸透性部材は、多孔質部材及び／または多層構造であってもよい。前記浸透性部材は、外側表面が親液体性であり、及び／または、内側表面が疎液体性であってもよい。リソグラフィ投影装置は、前記溝に多孔質材料を備えてもよい。前記多孔質材料は、前記溝の外側端部に沿って位置することが好ましい。前記溝は移動可能であることが好ましい。
【０１０９】
第３の態様においては、基板を保持する基板テーブルであって、基板から流れて該基板テーブル上面の端部を越える液体流れが許容されている基板テーブルと、前記端部下方で液体を回収する溝と、を備え、前記溝は、溝外部から溝内部へ導く複数の垂直流路を備える液浸リソグラフィ投影装置が提供される。前記流路は、ハニカム構造で形成されていてもよい。リソグラフィ投影装置は、前記溝への液体の通過のみを許容する一方向弁を各流路に備えてもよい。前記弁は、圧力差により、または前記溝の加速により切り替えられることが好ましい。前記液体は、前記流路を形成する材料と８０度乃至１４０度の接触角を有してもよい。各流路の最大平面寸法は、３．０ｍｍ乃至５．０ｍｍであってもよい。リソグラフィ投影装置は、前記溝の底部及び前記流路の下方に位置する網の目状のリブをさらに備えてもよい。前記溝は移動可能であってもよい。
【０１１０】
第４の態様においては、基板を保持する基板テーブルであって、基板から流れて該基板テーブル上面の端部を越える液体流れが許容されている基板テーブルと、前記端部下方で液体を回収する溝と、を備え、前記溝は、溝の移動に伴い液体の慣性により生じる液体と溝との溝内での相対移動を低減するバリア部材を溝底部に有する液浸リソグラフィ投影装置が提供される。前記バリア部材は、前記溝の長手方向に実質的に平行な方向についての液体の前記溝との相対運動を低減する向きを有するバリアを備えてもよい。前記バリア部材は、前記溝の長手方向に実質的に垂直な方向についての液体の前記溝との相対運動を低減する向きを有するバリアを備えてもよい。前記バリア部材は、前記溝の長手方向に成分を有する反復往復運動により前記溝の液体に前記溝の末端に向かう運動を生じさせる向きを有してもよい。リソグラフィ投影装置は、平面視においてヘリングボーン状のパターンに配列された複数のバリア部材を備えてもよい。前記バリア部材は、前記溝の側部で前記溝に取り付けられ、前記溝の末端のうち近いほうを指す角度を有して前記溝へと突出していてもよい。前記溝は移動可能であってもよい。
【０１１１】
第５の態様においては、基板を保持する基板テーブルであって、基板から該基板テーブル上面の端部を越えて液体が流れるのを許容する基板テーブルと、前記端部下方で液体を回収する溝と、前記溝に進入する液体を前記溝内で保持するシールド部材と、を備える液浸リソグラフィ投影装置が提供される。前記シールド部材は、液体が前記溝に進入するときに生成される液滴がリソグラフィ投影装置の他の部分を汚染するのを避けるよう構成されていてもよい。前記溝は移動可能であってもよい。
【０１１２】
第６の態様においては、基板を保持する基板テーブルであって、平面視において実質的に直進運動をし、基板から該基板テーブルの４つの端部を越える液体流れが許容されている基板テーブルと、前記端部下方で液体を捕らえる溝と、前記溝に付随する液体除去装置と、を備える液浸リソグラフィ投影装置が提供される。リソグラフィ投影装置は少なくとも２つの溝を備え、前記液体除去装置は少なくとも２つの溝に付随していてもよい。リソグラフィ投影装置は少なくとも４つの溝を備え、少なくとも１つの溝に各端部が対応していてもよい。前記液体除去装置は長方形の角部において前記溝に接続されていてもよい。リソグラフィ投影装置は少なくとも４つの液体除去装置を備え、少なくとも１つの液体除去装置が２つの溝の末端に設けられていてもよい。前記溝は移動可能であってもよい。
【０１１３】
第７の態様においては、基板を保持する基板テーブルであって、基板から流れて該基板テーブル上面の端部を越える液体流れが許容されている基板テーブルと、前記端部下方で液体を捕らえる溝と、前記端部のうち前記上面からの最遠部位と前記溝の一部分との間に設けられた低剛性膜と、を備える液浸リソグラフィ投影装置が提供される。
【０１１４】
第８の態様においては、基板を保持する基板テーブルであって、基板から流れて該基板テーブル上面の端部を越える液体流れが許容されている基板テーブルと、前記液体を回収し、前記基板テーブルとは独立に移動する溝と、を備える液浸リソグラフィ投影装置が提供される。前記独立の移動は、前記端部に垂直な方向であってもよい。
【０１１５】
第９の態様においては、基板を保持する基板テーブルであって、基板から流れて該基板テーブル上面の端部を越える液体流れが許容されている基板テーブルと、前記液体を回収する溝と、を備え、前記溝は、前記端部に実質的に平行な方向に細長い液浸リソグラフィ投影装置が提供される。前記溝は、排出口と、前記溝に回収された液体を該排出口から能動的に排出する能動液体排出装置と、を備えてもよい。前記溝は、基板テーブルから独立して前記端部に実質的に垂直な方向に移動可能であってもよい。前記溝は移動可能であってもよい。
【０１１６】
第１０の態様においては、パターンが付与された放射ビームを液浸流体を通じて基板に投影し、基板が保持されている基板テーブルの上面端部を越えて基板から液浸流体の流出を許容することを含み、基板から前記端部を越えて流出する流体は前記端部下方に位置する溝により捕らえられ、該流体は該溝の開口を覆う流体浸透部材を浸透するデバイス製造方法が提供される。
【０１１７】
第１１の態様においては、パターンが付与された放射ビームを液浸流体を通じて基板に投影し、基板が保持されている基板テーブル上面端部を越えて基板から液浸流体の流出を許容し、基板から前記端部を越えて流出する流体を前記端部下方に位置する溝により捕らえ、前記溝外部から前記溝内部へ前記流体を案内することを含むデバイス製造方法が提供される。
【０１１８】
本明細書ではＩＣの製造におけるリソグラフィ装置の使用を例として説明しているが、リソグラフィ装置は他の用途にも適用することが可能であるものと理解されたい。他の用途としては、集積光学システム、磁区メモリ用ガイダンスおよび検出パターン、フラットパネルディスプレイ、液晶ディスプレイ（ＬＣＤ）、薄膜磁気ヘッドなどがある。当業者であればこれらの他の適用に際して、本明細書における「ウエーハ」あるいは「ダイ」という用語がそれぞれ「基板」あるいは「目標部分」という、より一般的な用語と同義であるとみなされると理解することができるであろう。基板は露光前または露光後においてトラック（典型的にはレジスト層を基板に塗布し、露光後のレジストを現像する装置）、メトロロジツール、及び／またはインスペクションツールにより処理されてもよい。適用可能であれば、本明細書の開示はこれらのまたは他の基板処理装置にも適用され得る。また、基板は例えば多層ＩＣを製造するために複数回処理されてもよく、その場合には本明細書における基板という用語は既に処理されている多数の処理層を含む基板をも意味する。
【０１１９】
本明細書において「放射」及び「ビーム」という用語は、紫外（ＵＶ）放射（例えば約３６５ｎｍ、２４８ｎｍ、１９３ｎｍ、１５７ｎｍ、または１２６ｎｍの波長を有する）を含むあらゆる種類の電磁放射を示す。
【０１２０】
「レンズ」という用語は、文脈が許す限り、屈折光学素子及び反射光学素子を含む１つまたは各種の光学素子の組み合わせを指し示すものであってもよい。
【０１２１】
本発明の具体的な実施形態が上述のように説明されたが、本発明は上述の形式以外の形式でも実施可能であると理解されたい。例えば本発明は、上述の方法が記述された機械で読み取り可能な１以上の一連の指示を含むコンピュータプログラムの形式、またはこのような１以上のコンピュータプログラムが記録された（半導体メモリや磁気・光ディスクなどの）データ記録媒体の形式をとってもよい。本明細書で言及された１つまたは複数の異なるコントローラは、リソグラフィ装置の少なくとも１つの構成要素内部に位置する１つまたは複数のコンピュータプロセッサにより１つまたは複数のコンピュータプログラムが読み出されたときに動作可能であってもよい。１つまたは複数のプロセッサは少なくとも１つのコントローラに通信可能であって、１つまたは複数のコンピュータプログラムの機械読取可能命令に従って当該コントローラが動作するように構成されていてもよい。
【０１２２】
本発明の１つ以上の実施形態はいかなる液浸リソグラフィ装置にも適用可能であり、特に上述の形式のものには限られない。液浸用の液体が液体槽の方式で供給されるものにも基板上の局所領域にだけ供給されるものにも適用可能である。あるいは、非封じ込め式であってもよい。非封じ込め方式の一例においては、液浸液は基板表面及び／または基板テーブル表面から流れ出して基板及び／または基板テーブルの露出面の事実上全域が濡れてもよい。このような非封じ込め液浸システムにおいては、液体供給システムは、液浸液を封じ込めなくてもよいし、液浸液を完全にではなく部分的に封じ込めてもよい。
【０１２３】
本明細書にいう液体供給システムは広く解釈されるべきである。ある実施形態では、液体供給システムは投影系と基板及び／または基板テーブルとの間の空間に液体を供給する構造の組合せまたは機構であってもよい。液体供給システムは１つ以上の構造部材の組合せ、空間に液体を供給するための１つ以上の液体流入口、１つ以上の気体流入口、１つ以上の気体流出口、及び／または１つ以上の液体流出口を備えてもよい。一実施例では、液体が供給される空間の一表面が基板及び／または基板テーブルの一部分であってもよい。あるいはその空間の一表面が基板及び／または基板テーブルの表面を完全に覆ってもよい。またはその空間は基板及び／または基板テーブルを包含してもよい。液体供給システムは、液体の位置、量、質、形状、流速または他の特性を制御するための１つ以上の要素を更に含んでもよい。
【０１２４】
本発明の種々の実施例を上に記載したが、それらはあくまでも例示であって、それらに限定されるものではない。本発明の請求項の範囲から逸脱することなく種々に変更することができるということは、関連技術の当業者には明らかなことである。
【符号の説明】
【０１２５】
１２  バリア部材、  １３  液体供給口、  １４  排気口、  １５  吸気口、  １６  ガスシール、  ４００  基板テーブル端部、  ５００  溝部、  ６００  縁部、  ７００  側壁、  ８００  浸透性部材、  Ｂ  放射ビーム、  Ｃ  目標部分、  ＩＬ  照明系、  ＬＳＳ  局所液体供給システム、  ＭＡ  パターニングデバイス、  ＰＳ  投影系、  ＳＯ  放射源、  Ｗ  基板、  ＷＴ  基板テーブル。
【図１】
0005444297.tif 000002
【図２】
0005444297.tif 000003
【図３】
0005444297.tif 000004
【図４】
0005444297.tif 000005
【図５】
0005444297.tif 000006
【図６】
0005444297.tif 000007
【図７】
0005444297.tif 000008
【図９】
0005444297.tif 000009
【図１０】
0005444297.tif 000010
【図１１ａ】
0005444297.tif 000011
【図１１ｂ】
0005444297.tif 000012
【図１２ａ】
0005444297.tif 000013
【図１２ｂ】
0005444297.tif 000014
【図８ａ】
0005444297.tif 000015
【図８ｂ】
0005444297.tif 000016
【図１１ｃ】
0005444297.tif 000017
【図１１ｄ】
0005444297.tif 000018
【図１３】
0005444297.tif 000019
【図１４】
0005444297.tif 000020